(57)【要約】【課題】磁気テープに大きなテンションが発生した時、Ｔ３ポストに矢印Ｆ方向に大きな力が発生し、Ｔ３ポストアームが変形したり、Ｔ３ポストの位置がずれてテープダメージが発生しやすい状況になっていた。【解決手段】キャプスタンのハウジング７２にＴ３ポストアーム５８を係合するＶ溝７１を形成したので、キャプスタン軸５６の傾き調整を行ってもＴ３ポスト６０との相対関係が変化せず、テープダメージが起こりにくい。また、傾き調整の回動中心をＴ３ポストアーム５８の高さ付近に置いているので、調整による無理な力は発生しないという優れた効果が得られる。【選択図】  図１
2004288239.tif 000002
【特許請求の範囲】
【請求項１】
磁気テープを内蔵したカセットが着脱可能な第１の形態と、前記カセットの磁気テープが走行可能である第２の形態とを有する第１のシャーシ手段と、
磁気テープを駆動するためのキャプスタン軸および前記キャプスタン軸を回転自在に軸承するハウジングと、前記キャプスタン軸を駆動するモータ部とから構成されるキャプスタン手段と、
前記キャプスタン手段を具備し、前記第１のシャーシ手段を第１の形態である第１の位置および第２の形態である第２の位置へと移動可能に支持した第２のシャーシ手段と、
磁気テープをカセットから引き出すべく、第１のシャーシ手段に回動自在に軸承されたアーム先端に固定されたテープガイドポストを具備する引き出しポスト手段と、
キャプスタン手段のハウジングに一体的に形成され、前記引き出しポスト手段の位置を規制するための規制手段とを具備し、
第１のシャーシ手段が第２の位置に位置する第２の形態においては、
前記引き出しポスト手段のテープガイドポストは、キャプスタン手段のハウジングに設けられた規制手段と係合して位置決めされるように構成されたことを特徴とする磁気記録再生装置。
【請求項２】
第２のシャーシ手段は主要部品を支持するための第１の面部と、前記第１の面部と略々直角で、前記キャプスタン手段を固定するための第２の面部とを具備し、
前記キャプスタン手段は、前記ハウジングをシャーシ手段の第２の面部に固定すると共に前記ハウジングおよびシャーシ手段の第２の面部は、固定時に限られた範囲で相対位置を回動させて固定できるよう、回動位置決め手段および固定手段を設け、
かつ前記回動位置決め手段は、回動中心軸が前記引き出しポスト手段の位置を規制するための規制手段と略々一致する位置に構成されたことを特徴とする請求項１記載の磁気記録再生装置。
【請求項３】
規制手段は引き出しポスト手段の第２の形態での位置近傍に設けられたことを特徴とする請求項１記載の磁気記録再生装置。
【発明の詳細な説明】
【０００１】
【発明の属する技術分野】
本発明は、小型、軽量で生産性の優れた磁気記録再生装置に関するものである。
【０００２】
【従来の技術】
近年、磁気記録再生装置は、小型軽量化、低コスト化が望まれている。
【０００３】
以下に従来の磁気記録再生装置について説明する。
【０００４】
従来、磁気記録再生装置は特開平１１−２７３１８４号公報に記載されたものが知られている。
【０００５】
図８はカセット着脱状態（以下、アンロードモードと呼ぶ）での従来の磁気記録再生装置の平面図である。図８では、図を見やすくするためにいくつかの部品が省略されている。
【０００６】
１１０はカセットで、１１２はカセット１１０に張架された磁気テープで、磁気テープ１１２はカセット１１０に収納されているＳリール１１３、Ｔリール１１９に巻かれている。
【０００７】
１１８はサブシャーシで、カセット１１０が装着される。サブシャーシ１１８はメインシャーシ１５０の両サイドに構成されたガイド部（図示せず）によってガイドされ、矢印Ａ、Ｂ方向に移動可能となっている。
【０００８】
１２０、１２２はサブシャーシ１１８上に回転自在に設けられたＳリール台およびＴリール台でそれぞれＳリール１１３、Ｔリール１１９と係合する。
【０００９】
１２４はテンションアームで、テンションアーム軸１２６に対して回動自在にサブシャーシ１１８に設けられており、１２８のテンションポストがその一端に設けられている。
【００１０】
前記テンションポスト１２８は、図９に示す、テープ再生または記録状態（以下、ローディングモードと呼ぶ）においては、磁気テープ１１２が巻装され、磁気テープ１１２のテンションによってテンションバンド１３０の張りを可変し、テンションバンド１３０が巻装されたＳリール台１２０の回転トルクを制御する。
【００１１】
１３２、１３４はそれぞれＳボート、Ｔボートであり、Ｓボート１３２にはＳ１ポスト１３６、Ｔボート１３４にはＴ１ポスト１３８およびＴ２ポスト１４０が設けられており、図９のローディングモードにおいてはボートガイド溝１４２，１４４に沿って磁気テープ１１２をカセット１１０から引き出し、シリンダー１４６に巻装する。
【００１２】
１４８はメインシャーシ１５０に回動自在に支持されたピンチアームであり、一端にピンチローラ１５２を具備している。
【００１３】
前記ピンチアーム１４８は、図９のローディングモードでは時計方向に回動し、メインシャーシ１５０に設けられたキャプスタン１５４のキャプスタン軸１５６にピンチローラ１５２を磁気テープ１１２を挟んで圧着バネ（図示せず）によって圧着する構造になっている。
【００１４】
１５８はＴ３ポストアームであり、回動軸１５９によってサブシャーシ１１８に回動自在に軸承されている。
【００１５】
前記、Ｔ３ポストアーム１５８の一端にはＴ３ポスト１６０が、他端にはカムピン１６１が設けられており、カムピン１６１はメインシャーシ１５０に構成されたカム溝１５１と係合しており、前記サブシャーシ１１８が矢印Ａ方向に移動して図９に示すローディングモードに移行する際、Ｔ３ポストアーム１５８を時計方向に回動させて先端のＴ３ポスト１６０が磁気テープ１１２をカセット１１０から引き出し、キャプスタン軸１５６に巻装させる。
【００１６】
これら一連の動作は、ローディングモーター１５１の回転によって前記サブシャーシ１１８が矢印ＡおよびＢ方向へ移動する際に、それぞれのカム（図示せず）によって駆動され、図９に示すローディング状態へと移行する。
【００１７】
前記キャプスタン１５４の構造は、ハウジング１７２にモーターのステータ１７４が固定され、ロータ１７６が取り付けられたキャプスタン軸１５６が回転自在に軸承されている。
【００１８】
キャプスタン１５４はメインシャーシ１５０の背面に絞り加工で構成された背面壁１７８にビス１８０でハウジング１７２が、磁気テープ１１２の走行を調整して固定されている。
【００１９】
図１０は図９に示すローディング状態でのキャプスタン軸１５６部を正面から見た図である。
【００２０】
磁気テープ１１２の走行の調整は、図１０に示すよう、ハウジング１７２を背面壁１７８に対して矢印ＤまたはＥ方向に回転させて調整する。これによって磁気テープ１１２はダメージの発生無く走行することが出来る。
【００２１】
【特許文献１】
特開平１１−２７３１８４号公報
【００２２】
【発明が解決しようとする課題】
しかしながら上記の従来の構成では、磁気テープ１１２に大きなテンションが発生した時、Ｔ３ポスト１６０に矢印Ｆ方向に大きな力が発生し、Ｔ３ポストアーム１５８が変形したり、Ｔ３ポスト１６０の位置がずれてテープダメージが発生しやすい状況になっていた。
【００２３】
また、磁気テープ１１２の走行調整時に、キャプスタン軸１５６を矢印Ｄ、Ｅ方向に回動させるが、この時Ｔ３ポスト１６０は前記キャプスタン軸１５６と平行を保つことがテープダメージにとって望ましいが、キャプスタン軸１５６はメインシャーシ１５０側に、Ｔ３ポスト１６０はサブシャーシ１１８側に設けられているため、キャプスタン軸１５６とＴ３ポスト１６０の相対関係を保つのは困難であるという問題点を有していた。
【００２４】
本発明は上記従来の問題点を解決するもので、簡単な構成でテープダメージの発生しにくい磁気記録再生装置を提供することを目的とする。
【００２５】
【課題を解決するための手段】
この目的を達成するために本発明の磁気記録再生装置は、キャプスタンハウジングにＴ３ポストアームを固定する構成を有している。
【００２６】
この構成によって、Ｔ３ポストがキャプスタン軸と一体的に傾き調整され、テープダメージを防ぐことが出来る。
【００２７】
【発明の実施の形態】
本発明の請求項１に記載の発明は、磁気テープを内蔵したカセットが着脱可能な第１の形態と、前記カセットの磁気テープが走行可能である第２の形態とを有する第１のシャーシ手段と、磁気テープを駆動するためのキャプスタン軸および前記キャプスタン軸を回転自在に軸承するハウジングと、前記キャプスタン軸を駆動するモーター部とから構成されるキャプスタン手段と、前記キャプスタン手段を具備し、前記第１のシャーシ手段を第１の形態である第１の位置および第２の形態である第２の位置へと移動可能に支持した第２のシャーシ手段と、磁気テープをカセットから引き出すべく、第１のシャーシ手段に回動自在に軸承されたアーム先端に固定されたテープガイドポストを具備する引き出しポスト手段と、キャプスタン手段のハウジングに一体的に形成され、前記引き出しポスト手段の位置を規制するための規制手段とを具備し、第１のシャーシ手段が第２の位置に位置する第２の形態においては、前記引き出しポスト手段のテープガイドポストは、キャプスタン手段のハウジングに設けられた規制手段と係合して位置決めされるように構成したものであり、引き出しポスト手段がキャプスタン手段と一体化して傾き調整される。
【００２８】
請求項２に記載の発明は、第２のシャーシ手段は主要部品を支持するための第１の面部と、前記第１の面部と略々直角で、前記キャプスタン手段を固定するための第２の面部とを具備し、前記キャプスタン手段は、前記ハウジングをシャーシ手段の第２の面部に固定すると共に前記ハウジングおよびシャーシ手段の第２の面部は、固定時に限られた範囲で相対位置を回動させて固定できるよう、回動位置決め手段および固定手段を設け、かつ前記回動位置決め手段は、回動中心軸が前記引き出しポスト手段の位置を規制するための規制手段と略々一致する位置に構成したものであり、キャプスタン手段の傾き調整後も引き出しポスト手段の高さが変化したり、過剰な応力が発生することがない。
【００２９】
請求項３に記載の発明は、規制手段は引き出しポスト手段の第２の形態での位置近傍に設けるように構成したものであり、キャプスタン手段の傾き調整によって引き出しポスト手段の高さが変化することがない。
【００３０】
以下、本発明の実施の形態について、図１から図７を用いて説明する。
【００３１】
（実施の形態１）
図１はカセット着脱状態（以下、アンロードモードと呼ぶ）での本発明の磁気記録再生装置の平面図である。図１では、図を見やすくするためにいくつかの部品が省略されている。
【００３２】
１０はカセットで、１２はカセット１０に張架された磁気テープで、磁気テープ１２はカセット１０に収納されているＳリール１３、Ｔリール１９に巻かれている。
【００３３】
１８はサブシャーシで、カセット１０が装着される。サブシャーシ１８は図３に示すようにメインシャーシ５０の両サイドに絞り加工で構成された横壁６２および前記横壁６２に構成された凸部６４によってガイド溝部６８をガイドされ、矢印Ａ、Ｂ方向に移動可能となっている。
【００３４】
２０、２２はサブシャーシ１８上に回転自在に設けられたＳリール台およびＴリール台でそれぞれＳリール１３、Ｔリール１９と係合する。
【００３５】
２４はテンションアームで、テンションアーム軸２６に対して回動自在にサブシャーシ１８に設けられており、２８のテンションポストがその一端に設けられている。
【００３６】
前記テンションポスト２８は、図２に示す、テープ再生または記録状態（以下、ローディングモードと呼ぶ）においては、磁気テープ１２が巻装され、磁気テープ１２のテンションによってテンションバンド３０の張りを可変し、テンションバンド３０が巻装されたＳリール台２０の回転トルクを制御する。
【００３７】
３２、３４はそれぞれＳボート、Ｔボートであり、Ｓボート３２にはＳ１ポスト３６、Ｔボート３４にはＴ１ポスト３８およびＴ２ポスト４０が設けられており、図２のローディングモードにおいてはボートガイド溝４２，４４に沿って磁気テープ１２をカセット１０から引き出し、シリンダー４６に巻装する。
【００３８】
４８はメインシャーシ５０に回動自在に支持されたピンチアームであり、一端にピンチローラ５２を具備している。
【００３９】
前記ピンチアーム４８は、図２のローディングモードでは時計方向に回動し、メインシャーシ５０に設けられたキャプスタン５４のキャプスタン軸５６にピンチローラ５２を磁気テープ１２を挟んで圧着バネ（図示せず）によって圧着する構造になっている。
【００４０】
前記キャプスタン５４の構造は、ハウジング７２にモーターのステータ７４が固定され、ロータ７６が取り付けられたキャプスタン軸５６が回転自在に軸承されている。
【００４１】
５８はＴ３ポストアームであり、回動軸５９によってサブシャーシ１８に回動自在に軸承されている。
【００４２】
前記、Ｔ３ポストアーム５８の一端にはＴ３ポスト６０が、他端にはカムピン６１が設けられており、カムピン６１はメインシャーシ５０に構成されたカム溝５１と係合しており、前記サブシャーシ１８が矢印Ａ方向に移動して図２に示すローディングモードに移行する際、Ｔ３ポストアーム５８を時計方向に回動させて先端のＴ３ポスト６０が磁気テープ１２をカセット１０から引き出し、キャプスタン軸５６に巻装させる。
【００４３】
前記キャプスタン５４のハウジング７２は、Ｔ３ポストアーム５８の先端部６３を挟んで位置決めするためのＶ溝７１が形成されている。
【００４４】
Ｔ３ポストアーム５８の先端部６３はサブシャーシ１８が矢印Ａ方向にローディングすることで矢印Ａ方向に移動し、図５、図６に示すようにＶ溝７１に係合して高さ規制される。
【００４５】
これら一連の動作は、ローディングモーター５１の回転によって前記サブシャーシ１８が矢印ＡおよびＢ方向へ移動する際に、それぞれのカム（図示せず）によって駆動され、図２に示すローディング状態へと移行する。
【００４６】
キャプスタン５４はメインシャーシ５０の背面に絞り加工で構成された背面壁７８にビス８０でハウジング７２が、磁気テープ１２にテープダメージが入らないようにキャプスタン軸５６のテープ走行方向の傾きを調整して固定される。
前記背面壁７８には位置決め穴８２が設けられており、ハウジング７２に設けられた位置決め凸部８６が係合して位置決め固定されている。
【００４７】
図７は図２に示すローディング状態でのキャプスタン軸５６部を正面から見た図である。
【００４８】
この位置決め凸部８６は図７に示すように背面壁７８の垂直方向、すなわち正面から見て、Ｔ３ポスト６０とＴ３ポストアーム５８の交点付近に設けられている。
【００４９】
キャプスタン軸５６の傾き調整は、図７に示すよう、ハウジング７２を背面壁７８に対して矢印ＤまたはＥ方向に回転させて調整する。この時の回動中心は位置決め凸部８６である。
【００５０】
Ｔ３ポスト６０は、Ｔ３ポストアーム５８の先端部６３をハウジング７２に設けられたＶ溝７１に挟み込まれているため、キャプスタン軸５６と一体に傾き調整される。
【００５１】
この際、調整によってＴ３ポスト６０の高さが変化すると、上下のフランジ７３、７５によって規制された磁気テープ１２は上下端にテープダメージが入りやすくなるが、回動中心である位置決め凸部８６、Ｖ溝７１はＴ３ポスト６０近傍にあるので前記フランジ７３、７５の高さが変化することはなく、調整によってテープダメージが入ることはない。
【００５２】
また、前記Ｔ３ポストアーム５８は傾き調整によって微少な角度だけねじりが発生するが、ねじりの中心が高さ方向にほぼ一致しているので挙動が最少であり、このねじりによって、回動軸５９やサブシャーシ１８に応力的影響を与えることはない。
【００５３】
【発明の効果】
以上のように本発明は、キャプスタンのハウジングにＴ３ポストアームを係合するＶ溝を形成したので、キャプスタン軸の傾き調整を行ってもＴ３ポストとの相対関係が変化せず、テープダメージが起こりにくい。
【００５４】
また、傾き調整の回動中心をＴ３ポストアームの高さ付近に置いているので、調整による無理な力は発生しないという優れた効果が得られる。
【図面の簡単な説明】
【図１】本発明の実施の形態における磁気記録再生装置のカセット着脱状態（アンロードモード）の平面図
【図２】同実施の形態における磁気記録再生装置のテープ再生または記録状態（ローディングモード）の平面図
【図３】同実施の形態における磁気記録再生装置のカセット着脱状態（アンロードモード）の側面断面図
【図４】同実施の形態における磁気記録再生装置のテープ再生または記録状態（ローディングモード）の側面断面図
【図５】同実施の形態における磁気記録再生装置のテープ再生または記録状態（ローディングモード）の要部平面図
【図６】同実施の形態における磁気記録再生装置のテープ再生または記録状態（ローディングモード）の要部側面断面図
【図７】同実施の形態における磁気記録再生装置の要部正面図
【図８】従来の磁気記録再生装置のカセット着脱状態（アンロードモード）の平面図
【図９】従来の磁気記録再生装置のテープ再生または記録状態（ローディングモード）の平面図
【図１０】従来の磁気記録再生装置の要部正面図
【符号の説明】
１２  磁気テープ
５０  メインシャーシ
５６  キャプスタン軸
７１  Ｖ溝
７２  ハウジング
７８  背面壁
８０  ビス
８２  位置決め穴
８４ａ、８４ｂ  調整溝
８６  位置決め凸部
【図１】
2004288239.tif 000003
【図２】
2004288239.tif 000004
【図３】
2004288239.tif 000005
【図４】
2004288239.tif 000006
【図５】
2004288239.tif 000007
【図６】
2004288239.tif 000008
【図７】
2004288239.tif 000009
【図８】
2004288239.tif 000010
【図９】
2004288239.tif 000011
【図１０】
2004288239.tif 000012